(57)【要約】      （修正有）【課題】装飾性を向上させることができると共に、スラットの収納スペースをコンパクトにできるシャッタ装置を提供する。【解決手段】シャッタ装置は、互いに平行に伸びる一対の案内レール１と、一対の案内レール１の案内通路に沿って移動できるように、一対の案内レール１に組み付けられる複数のブラケット３と、複数のブラケット３に支持される複数枚のスラット２と、を備える。複数のスラット２は、案内レール１の長手方向の一端側の収納部区間１ｃに移動したとき、互いに平行に配列される一方、案内レールの長手方向の他端側の開口部区間１ａに移動したとき、その表面が略同一の平面内に配列される。開口部区間１ａにおいて、シャッタ装置の正面側からみて案内レール１の少なくとも一部がスラット２の長手方向の端部で隠れる一方、収納部区間１ｃにおいて、スラット２が一対の案内レール間に挟まれる。【選択図】図１
2008069518.tif 000002
【特許請求の範囲】
【請求項１】
互いに平行に伸びる一対の案内レールと、
前記一対の案内レールの案内通路に沿って移動できるように、前記一対の案内レールに組み付けられる複数のブラケットと、
前記複数のブラケットに支持される複数枚のスラットと、を備え、
前記複数のスラットは、前記案内レールの長手方向の一端側の収納部区間に移動したとき、互いに平行に配列される一方、前記案内レールの長手方向の他端側の開口部区間に移動したとき、その表面が略同一の平面内に配列され、
前記開口部区間において、シャッタ装置の正面側からみて前記案内レールの少なくとも一部が前記スラットの長手方向の端部で隠れる一方、
前記収納部区間において、前記スラットが前記一対の案内レール間に挟まれることを特徴とするシャッタ装置。
【請求項２】
前記一対の案内レールは、前記開口部区間において、シャッタ装置の正面側からみて前記一対の案内レールが前記スラットの長手方向の両端部で隠れるように、前記一対の案内レールの内法（内側の距離）が前記スラットの長手方向の長さよりも短い一方、前記収納部区間において、前記スラットを前記一対の案内レール間で挟むことができるように、前記一対の案内レールの内法（内側の距離）が前記スラットの長手方向の長さよりも長いことを特徴とする請求項１に記載のシャッタ装置。
【請求項３】
前記一対の案内レールのそれぞれは、案内レールの長手方向に伸びる二条の案内通路を有し、前記二条の案内通路は、前記開口部区間において直線状に並列に伸び、前記開口部区間から前記収納部区間に移行する繋ぎ区間において、前記シャッタ装置の奥側又は手前側に折れ曲がると共に二股に分かれ、前記収納部区間において、二股に分岐した状態で直線状に伸び、
前記複数のブラケットそれぞれは、前記スラットが取り付けられるブラケット本体と、前記ブラケット本体に結合されると共に、各案内レールに対して前記各案内レールの長手方向に位置を異ならせた二箇所に設けられる案内レール係合部を有し、
前記二つの案内レール係合部の一方が、前記二条の案内通路の一方に案内され、前記二つの案内レール係合部の他方が、前記二条の案内通路の他方に案内されることを特徴とする請求項１又は２に記載のシャッタ装置。
【請求項４】
前記一対の案内レールそれぞれには、前記二条の案内通路に沿って一条の主ローラ案内通路がさらに設けられ、
前記一条の主ローラ案内通路は、前記二条の案内通路が二股に分岐するのに合わせて二股に分岐し、
前記二つの案内レール係合部それぞれは、前記主ローラ案内通路に挿入される主ローラと、前記二条の案内通路のいずれか一方に収容される副ローラと、を有し、
前記二つの案内レール係合部の一方の副ローラが、前記二条の案内通路の一方に案内され、前記二つの案内レール係合部の他方の副ローラが、前記二条の案内通路の他方に案内されることを特徴とする請求項３に記載のシャッタ装置。
【請求項５】
前記一対の案内レールそれぞれは、前記開口部区間から前記収納部区間に移行する繋ぎ区間において、ねじれていて、
そして、前記一対の案内レールそれぞれがねじれることによって、前記一対の案内レールは、前記開口部区間において、前記シャッタ装置の正面側からみて前記スラットの後方に配置される一方、前記収納部区間において、前記シャッタ装置の正面側からみて前記スラットの長手方向の側方に配置されることを特徴とする請求項１ないし４のいずれかに記載のシャッタ装置。
【請求項６】
前記案内レール係合部は、ねじれた前記繋ぎ区間の前記案内レールの、前記案内通路に沿って移動できるように、ヒンジを介して前記ブラケット本体に結合されることを特徴とする請求項５に記載のシャッタ装置。
【請求項７】
前記一対の案内レールは、ねじれることなく、前記開口部区間から前記収納部区間に移行する繋ぎ区間において、前記開口部区間から前記収納部区間に向かって内法（内側の距離）が徐々に大きくなり、
そして、前記一対の案内レールは、内法（内側の距離）が徐々に大きくなることによって、前記開口部区間において、前記シャッタ装置の正面側からみて前記スラットの後方に配置される一方、前記収納部区間において、前記シャッタ装置の正面側からみて前記スラットの長手方向の側方に配置されることを特徴とする請求項１ないし４のいずれかに記載のシャッタ装置。
【請求項８】
前記ブラケットの前記案内レール係合部は、内法（内側の距離）が徐々に長くなる前記繋ぎ区間の前記案内レールの、前記案内通路に沿って移動できるように、スライド可能に前記ブラケット本体に結合されることを特徴とする請求項７に記載のシャッタ装置。
【請求項９】
互いに平行に伸びる一対の案内レールと、
前記一対の案内レールの案内通路に沿って移動できるように、前記一対の案内レールに組み付けられる複数のブラケットと、を備え、
前記複数のブラケットは、複数枚のスラットを支持することができ、
前記複数のブラケットが前記案内レールの長手方向の一端側の収納部区間に移動したとき、前記複数枚のスラットを互いに平行に配列することができる一方、前記複数のブラケットが前記案内レールの長手方向の他端側の開口部区間に移動したとき、前記複数枚のスラットの表面を略同一の平面内に配列でき、
前記一対の案内レールは、前記収納部区間における内法（内側の距離）が前記開口部区間における内法（内側の距離）よりも長く、
そして、シャッタ装置の正面側からみて、前記開口部区間において、前記スラットを前記案内レールよりも前方に配置できる一方、前記収納部区間において、前記スラットを前記一対の案内レール間に挟むことができることを特徴とするシャッタ装置用金物。
【請求項１０】
前記一対の案内レールそれぞれは、前記開口部区間から前記収納部区間に移行する繋ぎ区間において、ねじれていて、
そして、前記一対の案内レールそれぞれがねじれることによって、前記一対の案内レールを、前記開口部区間において、前記シャッタ装置の正面側からみて前記スラットの後方に配置できる一方、前記収納部区間において、前記シャッタ装置の正面側からみて前記スラットの長手方向の側方に配置できることを特徴とする請求項９に記載のシャッタ装置用金物。
【請求項１１】
前記一対の案内レールは、ねじれることなく、前記開口部区間から前記収納部区間に移行する繋ぎ区間において、前記開口部区間から前記収納部区間に向かって内法（内側の距離）が徐々に大きくなり、
そして、前記一対の案内レールの内法（内側の距離）が徐々に大きくなることによって、前記一対の案内レールを、前記開口部区間において、前記シャッタ装置の正面側からみて前記スラットの後方に配置できる一方、前記収納部区間において、前記シャッタ装置の正面側からみて前記スラットの長手方向の側方に配置できることを特徴とする請求項９に記載のシャッタ装置用金物。
【発明の詳細な説明】
【技術分野】
【０００１】
本発明は、複数枚のスラットを移動させて建築物等の開口部を開閉するシャッタ装置に関する。
【背景技術】
【０００２】
シャッタ装置は、複数枚のスラットを移動させて建築物等の開口部を開閉するものであり、空間を仕切るのに用いられる。一般的には、シャッタ装置は建築物の入口の戸の外側に設けられて、建築物の内部の空間と屋外の空間とを仕切る。建築物の入口の戸の外側に設けられるシャッタ装置は、防盗・防火・日除けなどの目的で設置される。
【０００３】
従来のシャッタ装置は、開口部の左右両側に設けられる一対の案内レールと、案内レールにその両端部が挿入される複数枚のスラットと、から構成される（例えば特許文献１参照）。スラットは薄板状で水平方向に細長く伸び、スラットの左右両端は案内レールの案内溝に挿入される。スラットの上下端には、上下に隣接するスラット同士を連結するためのカール状係合部が形成される。すなわち、シャッタ装置は、複数枚のスラットを上下方向に互いに連結し、複数枚のスラットの両端部を一対の案内レールの案内溝に挿入して構成される。このようにシャッタ装置を構成することで、建築物の入口に据え付けられたシャッタ装置を壊すこと、例えば案内レールからスラットを取り外したり、複数枚のスラットをばらばらに分解したりすることが困難になる。よって、防盗・防火性能が優れたシャッタ装置が得られる。
【０００４】
【特許文献１】特開平９−３１７３５５号公報（１頁参照）
【発明の開示】
【発明が解決しようとする課題】
【０００５】
しかし、シャッタ装置を、防盗・防火を目的として建築物の入口の戸の外側に配置するのではなく、建築物の内壁の一部として、建築物の部屋と部屋を仕切る間仕切りとして、さらには家具の一部として使用したいという要請がある。例えば、凹ませた壁面にテレビを入れ、テレビを見ないときには、シャッタ装置を閉じてテレビを隠すことができれば、すっきりした感じ（余計なものがなく気持よく整っている感じ）を与えることができる。この場合、シャッタ装置は、凹ませた壁面に取り付けられる。テレビを見るときには、シャッタ装置を開ければよいし、テレビを見ないときには、シャッタ装置を閉じればよい。シャッタ装置を閉じたとき、シャッタ装置を壁面と一体化させることができれば、よりすっきりした感じを与えることができる。このような室内の壁面として使用されるシャッタ装置は、防犯・防火を目的として設置されるというよりもむしろ、インテリアとしての装飾性を向上することを目的として設置される。
【０００６】
ところで、シャッタ装置の案内レールを開口部の奥行き方向に折り曲げ、複数枚のスラットを畳むことなく案内レールに沿って奥行き方向に移動させると、開口部の高さの分だけ奥行き方向の収納スペースが必要になる。しかし、建築物の室内や家具の内部にこのような収納スペースを確保するのは困難な場合が多い。
【０００７】
そこで本発明は、装飾性を向上させることができると共に、スラットの収納スペースをコンパクトにできるシャッタ装置を提供することを目的とする。
【課題を解決するための手段】
【０００８】
上記課題を解決するために、請求項１に記載の発明は、互いに平行に伸びる一対の案内レールと、前記一対の案内レールの案内通路に沿って移動できるように、前記一対の案内レールに組み付けられる複数のブラケットと、前記複数のブラケットに支持される複数枚のスラットと、を備え、前記複数のスラットは、前記案内レールの長手方向の一端側の収納部区間に移動したとき、互いに平行に配列される一方、前記案内レールの長手方向の他端側の開口部区間に移動したとき、その表面が略同一の平面内に配列され、前記開口部区間において、シャッタ装置の正面側からみて前記案内レールの少なくとも一部が前記スラットの長手方向の端部で隠れる一方、前記収納部区間において、前記スラットが前記一対の案内レール間に挟まれることを特徴とするシャッタ装置である。
【０００９】
ここで、「複数枚のスラットの表面が略同一の平面内に配列される」とは、複数枚のスラットの表面が同一の平面内に配列される場合の他、複数枚のスラットに厚みの差があったり、複数のブラケットの取付け面に段差があったりして、複数枚のスラットが重ならない程度に、複数枚のスラットの表面に段差が生ずる場合も含む。
【００１０】
請求項２に記載の発明は、請求項１に記載のシャッタ装置において、前記一対の案内レールは、前記開口部区間において、シャッタ装置の正面側からみて前記一対の案内レールが前記スラットの長手方向の両端部で隠れるように、前記一対の案内レールの内法（内側の距離）が前記スラットの長手方向の長さよりも短い一方、前記収納部区間において、前記スラットを前記一対の案内レール間で挟むことができるように、前記一対の案内レールの内法（内側の距離）が前記スラットの長手方向の長さよりも長いことを特徴とする。
【００１１】
請求項３に記載の発明は、請求項１又は２に記載のシャッタ装置において、前記一対の案内レールのそれぞれは、案内レールの長手方向に伸びる二条の案内通路を有し、前記二条の案内通路は、前記開口部区間において直線状に並列に伸び、前記開口部区間から前記収納部区間に移行する繋ぎ区間において、前記シャッタ装置の奥側又は手前側に折れ曲がると共に二股に分かれ、前記収納部区間において、二股に分岐した状態で直線状に伸び、
【００１２】
前記複数のブラケットそれぞれは、前記スラットが取り付けられるブラケット本体と、前記ブラケット本体に結合されると共に、各案内レールに対して前記各案内レールの長手方向に位置を異ならせた二箇所に設けられる案内レール係合部を有し、前記二つの案内レール係合部の一方が、前記二条の案内通路の一方に案内され、前記二つの案内レール係合部の他方が、前記二条の案内通路の他方に案内されることを特徴とする。
【００１３】
請求項４に記載の発明は、請求項３に記載のシャッタ装置において、前記一対の案内レールそれぞれには、前記二条の案内通路に沿って一条の主ローラ案内通路がさらに設けられ、前記一条の主ローラ案内通路は、前記二条の案内通路が二股に分岐するのに合わせて二股に分岐し、前記二つの案内レール係合部それぞれは、前記主ローラ案内通路に挿入される主ローラと、前記二条の案内通路のいずれか一方に収容される副ローラと、を有し、前記二つの案内レール係合部の一方の副ローラが、前記二条の案内通路の一方に案内され、前記二つの案内レール係合部の他方の副ローラが、前記二条の案内通路の他方に案内されることを特徴とする。
【００１４】
請求項５に記載の発明は、請求項１ないし４のいずれかに記載のシャッタ装置において、前記一対の案内レールそれぞれは、前記開口部区間から前記収納部区間に移行する繋ぎ区間において、ねじれていて、そして、前記一対の案内レールそれぞれがねじれることによって、前記一対の案内レールは、前記開口部区間において、前記シャッタ装置の正面側からみて前記スラットの後方に配置される一方、前記収納部区間において、前記シャッタ装置の正面側からみて前記スラットの長手方向の側方に配置されることを特徴とする。
【００１５】
請求項６に記載の発明は、請求項５に記載のシャッタ装置において、前記案内レール係合部は、ねじれた前記繋ぎ区間の前記案内レールの、前記案内通路に沿って移動できるように、ヒンジを介して前記ブラケット本体に結合されることを特徴とする。
【００１６】
請求項７に記載の発明は、請求項１ないし４のいずれかに記載のシャッタ装置において、前記一対の案内レールは、ねじれることなく、前記開口部区間から前記収納部区間に移行する繋ぎ区間において、前記開口部区間から前記収納部区間に向かって内法（内側の距離）が徐々に大きくなり、そして、前記一対の案内レールは、内法（内側の距離）が徐々に大きくなることによって、前記開口部区間において、前記シャッタ装置の正面側からみて前記スラットの後方に配置される一方、前記収納部区間において、前記シャッタ装置の正面側からみて前記スラットの長手方向の側方に配置されることを特徴とする。
【００１７】
請求項８に記載の発明は、請求項７に記載のシャッタ装置において、前記ブラケットの前記案内レール係合部は、内法（内側の距離）が徐々に長くなる前記繋ぎ区間の前記案内レールの、前記案内通路に沿って移動できるように、スライド可能に前記ブラケット本体に結合されることを特徴とする。
【００１８】
請求項９に記載の発明は、互いに平行に伸びる一対の案内レールと、前記一対の案内レールの案内通路に沿って移動できるように、前記一対の案内レールに組み付けられる複数のブラケットと、を備え、前記複数のブラケットは、複数枚のスラットを支持することができ、前記複数のブラケットが前記案内レールの長手方向の一端側の収納部区間に移動したとき、前記複数枚のスラットを互いに平行に配列することができる一方、前記複数のブラケットが前記案内レールの長手方向の他端側の開口部区間に移動したとき、前記複数枚のスラットの表面を略同一の平面内に配列でき、前記一対の案内レールは、前記収納部区間における内法（内側の距離）が前記開口部区間における内法（内側の距離）よりも長く、そして、シャッタ装置の正面側からみて、前記開口部区間において、前記スラットを前記案内レールよりも前方に配置できる一方、前記収納部区間において、前記スラットを前記一対の案内レール間に挟むことができることを特徴とするシャッタ装置用金物である。
【００１９】
ここで、「複数枚のスラットの表面を略同一の平面内に配列できる」とは、複数枚のスラットの表面を同一の平面内に配列できる場合の他、複数枚のスラットに厚みの差があったり、複数のブラケットの取付け面に段差があったりして、複数枚のスラットが重ならない程度に、複数枚のスラットの表面に段差が生ずる場合も含む。
【００２０】
請求項１０に記載の発明は、請求項９に記載のシャッタ装置用金物において、前記一対の案内レールそれぞれは、前記開口部区間から前記収納部区間に移行する繋ぎ区間において、ねじれていて、そして、前記一対の案内レールそれぞれがねじれることによって、前記一対の案内レールを、前記開口部区間において、前記シャッタ装置の正面側からみて前記スラットの後方に配置できる一方、前記収納部区間において、前記シャッタ装置の正面側からみて前記スラットの長手方向の側方に配置できることを特徴とする。
【００２１】
請求項１１に記載の発明は、請求項９に記載のシャッタ装置用金物において、前記一対の案内レールは、ねじれることなく、前記開口部区間から前記収納部区間に移行する繋ぎ区間において、前記開口部区間から前記収納部区間に向かって内法（内側の距離）が徐々に大きくなり、そして、前記一対の案内レールの内法（内側の距離）が徐々に大きくなることによって、前記一対の案内レールを、前記開口部区間において、前記シャッタ装置の正面側からみて前記スラットの後方に配置できる一方、前記収納部区間において、前記シャッタ装置の正面側からみて前記スラットの長手方向の側方に配置できることを特徴とする。
【発明の効果】
【００２２】
請求項１に記載の発明によれば、複数枚のスラットが案内レールの開口部区間に移動したとき、案内レールがスラットの端部の後方に隠れるので、シャッタ装置の装飾性を向上させることができる。また、複数枚のスラットが案内レールの収納部区間に移動したとき、スラットが互いに平行に配列されるので、スラットの収納スペースを低減することができる。
【００２３】
請求項２に記載の発明によれば、開口部区間において、シャッタ装置の正面側からみて、一対の案内レールをスラットの長手方向の両端部で隠すことができる一方、収納部区間において、スラットを一対の案内レール間で挟むことができる。
【００２４】
請求項３に記載の発明によれば、スラットを収納部区間に移動させたとき、複数枚のスラットを互いに平行に配列することができる一方、スラットを開口部区間に移動させたとき、複数枚のスラットを一平面内に並べて配列することができる。
【００２５】
請求項４に記載の発明によれば、複数枚のスラットを収納部区間と開口部区間との間で円滑に移動させることができる。
【００２６】
請求項５に記載の発明によれば、開口部区間でスラットの後方に配置される案内レールを、収納部区間でスラットの側方に配置することができる。
【００２７】
請求項６に記載の発明によれば、案内レール係合部をねじれた案内レールの案内通路に沿って移動させることができる。
【００２８】
請求項７に記載の発明によれば、開口部区間でスラットの後方に配置される案内レールを、収納部区間でスラットの側方に配置することができる。
【００２９】
請求項８に記載の発明によれば、案内レール係合部を内法が長くなる案内レールの案内通路に沿って移動させることができる。
【００３０】
請求項９に記載の発明によれば、複数枚のスラットが案内レールの開口部区間に移動したとき、一対の案内レールがスラットの両端部の後方に隠れるので、シャッタ装置の装飾性を向上させることができる。また、複数枚のスラットが案内レールの収納部区間に移動したとき、スラットが互いに平行に配列されるので、スラットの収納スペースを低減することができる。
【００３１】
請求項１０又は１１に記載の発明によれば、開口部区間でスラットの後方に配置される案内レールを、収納部区間でスラットの側方に配置することができる。
【発明を実施するための最良の形態】
【００３２】
以下添付図面に基づいて、本発明のシャッタ装置の実施形態を説明する。
図１ないし図４は、本発明の第一の実施形態におけるシャッタ装置を示す。図１及び図２は、シャッタ装置の斜視図を示し、図３及び図４は、シャッタ装置の正面図を示す。図１及び図３は、複数枚のスラット２が案内レール１の下端側の開口部区間１ａに移動して、開口部が閉じられた状態を示し、図２及び図４は、複数枚のスラット２が案内レール１の上端側の収納部区間１ｃに移動して、開口部が開けられた状態を示す。
【００３３】
図１及び図２に示されるように、この実施形態のシャッタ装置は、互いに平行に伸び、ブラケット３が移動するのを案内する左右一対の案内レール１と、一対の案内レール１に組みつけられ、一対の案内レール１に沿って移動できる複数のブラケット３と、一対の案内レール１間に掛け渡され、複数のブラケット３に支持される複数枚のスラット２と、を備える。左右一対の案内レール１に左右一対のブラケット３が装着され、左右一対のブラケット３に一枚のスラット２が支持される。複数枚のスラット２は互いに連結されていない。
【００３４】
スラット２の表面には、インテリアに適するように化粧が施される。複数枚のスラット２それぞれに同じ模様や色彩を施してもよいし、複数枚のスラット２を組み合わせたときに一つの模様が出来上がるようにしてもよい。スラット２は、案内レール１やブラケット３等から構成される機能部品（シャッタ装置用金物）とは別の流通経路で供給されるのが望ましい。スラット２には、機能性よりもデザイン性が要求されるからである。
【００３５】
図３に示されるように、複数枚のスラット２が案内レール１の下端側の開口部区間１ａに移動したとき、案内レール１はスラット２の両端部の後方に隠れる。この開口部区間１ａにおいて、一対の案内レール１の内法（内側の距離）は、スラット２の長手方向の長さよりも短い。その一方、図４に示されるように、複数枚のスラット２が収納部区間１ｃに移動したとき、複数枚のスラット２は一対の案内レール１間に挟まれると共に互いに平行に並んだ状態で収納される。この収納部区間１ｃにおいて、一対の案内レール１の内法は、スラット２の長手方向の長さよりも長い。スラット２の長手方向の長さは一定であるから、収納部区間１ｃにおける一対の案内レール１の内法は、開口部区間１ａにおける一対の案内レール１の内法よりも大きい。
【００３６】
図５は、凹んだ壁面６に取り付けたシャッタ装置の水平方向断面図を示す。壁面６の開口部の左右両側には段差７が形成される。段差７の高さはシャッタ装置の高さに等しく、壁面６とスラット２の表面とは同一平面内に（面一に）配置される。この図５には、案内レール１の断面図も示されている。案内レール１の断面形状は左右対称である。案内レール１には、その内部に長手方向に伸びる一条の主ローラ案内通路８と、二条の副ローラ案内通路９が形成される。主ローラ案内通路８は、案内レール１の中央部にかつ奥側に形成され、二条の副ローラ案内通路９は、案内レール１の左右両側にかつ手前側に形成される。主ローラ案内通路８には、ブラケット３の主ローラ１６が転がり運動可能に収容され、副ローラ案内通路９にはブラケット３の副ローラ１７が転がり運動可能に収容される。案内レール１の断面図において、主ローラ１６の自転軸と副ローラ１７の自転軸とは直交している。これにより、ブラケット３が案内レール１に沿って移動するとき、がたが生じるのが防止される。
【００３７】
図６は、案内レール１の側面図を示す。案内レール１は、開口部に配置され、垂直方向に直線状に伸びる開口部区間１ａと、天井裏内に配置され、開口部区間１ａの上端から垂直方向に伸びると共に、折れ曲がった後、二股に分かれて水平方向に伸びる繋ぎ区間１ｂと、天井裏内に配置され、繋ぎ区間１ｂの一端に接続される収納部区間１ｃとに分けられる。収納部区間１ｃにおいて、案内レール１は二股に分岐した状態で水平方向に直線状に伸びる。案内レール１を二股に分岐させたのは、スラット２を平行に配列した状態で収納するためである。
【００３８】
図７は、案内レール１及びブラケット３の分解斜視図を示す。案内レール１は、シャッタ装置の正面からみて、開口部区間１ａにおいて、スラット２の両端部の後方に配置される（図３参照）。その一方、案内レール１は、収納部区間１ｃにおいて、スラット２の長手方向の側方に配置される（図４参照）。これを実現するために、この実施形態の案内レール１は、繋ぎ区間１ｂにおいて９０度ねじれている。図８は、ねじれた繋ぎ区間１ｂの案内レール１の断面形状の変化を示す。図８（Ｃ）に示されるように、スラット２の後方に配置される案内レール１が、ねじれることによって、図８（Ｂ），（Ａ）に示されるように、除々にスラット２の長手方向の側方に位置するようになる。案内レール１から見れば、案内レール１の内側にスラット２が入ってくることになる。案内レール１のねじれの回転中心は、スラット２の背面に取り付けたブラケット３のヒンジ軸１２である。
【００３９】
図７に示されように、案内レール１はねじられた後、二股に分岐する。もともと一条の主ローラ案内通路８は、案内レール１の分岐に伴って二条の主ローラ案内通路８ａ，８ｂに分岐する。もともと二条の副ローラ案内通路９は、並列に並んだ状態から繋ぎ区間１ｂにおいて二股に分岐し、収納部区間１ｃにおいて二股に分岐した状態で直線状に伸びる。なお、この実施形態では、収納部区間１ｃにおいて、二股に分岐した収納部区間１ｃの案内レール１の形状を揃えるために、二股に分岐した案内レール１のそれぞれに二条の副ローラ案内通路９が形成されているが、繋ぎ区間１ｂの副ローラ案内通路９に繋がっているのは、二条の副ローラ案内通路９のうちの片側のみである。繋ぎ区間１ｂでの案内レール１は、ねじられ、かつ分岐されるので、全体が複数の分割ピースに分割される。分割ピースは止め金具１３で連結される。
【００４０】
ブラケット３は、スラット２が取り付けられるブラケット本体１４と、案内レール１の長手方向に位置を異ならせてブラケット本体１４に結合される二つの案内レール係合部１５と、を有する。二つの案内レール係合部１５の一方が二条の副ローラ案内通路９の一方に案内され、二つの案内レール係合部１５の他方が二条の副ローラ案内通路９の他方に案内される。そして、収納部区間１ｃにおいて分岐した二つの案内レール１のうち、上側の案内レール１に上側の案内レール係合部１５が案内され、下側の案内レール１に下側の案内レール係合部１５が案内される。
【００４１】
案内レール係合部１５は、ヒンジを介してブラケット本体１４に結合される。案内レール係合部１５は、案内レール１の主ローラ案内通路８に挿入される主ローラ１６と、二条の副ローラ案内通路９の一方に収容される副ローラ１７と、を有する。主ローラ１６はヒンジ片１９から突出させた主ローラ支持軸２０に結合される。主ローラ１６はこの主ローラ支持軸２０を中心にして回転する。副ローラ１７は主ローラ支持軸２０にＬ字形状のアーム１８を介して連結され、主ローラ支持軸２０の回りを旋回（公転）する。
【００４２】
ブラケット本体１４には、雌ねじ２１が加工される。スラット２の、ブラケット本体１４の雌ねじ２１に対応する位置には貫通孔２２が加工される。スラット２の貫通孔２２に止めねじ２３を通し、止めねじ２３をブラケット本体１４の雌ねじ２１に嵌め込むことで、スラット２をブラケット本体１４の取付け面に取り付けることができる。ブラケット本体１４からスラット２を取り外すときは、止めねじ２３をブラケット本体１４から取り外せばよい。ブラケット本体１４へのスラット２の着脱は、ブラケット３を案内レール１に装着したまま行うことができる。スラット２が取り付けられるブラケット本体１４の取付け面２５は、案内レール１よりもシャッタ装置の正面側にはみ出す（図５参照）。
【００４３】
図５の開口部区間１ａの水平断面図に示されるように、案内レール１には、一条の主ローラ案内通路８と二条の副ローラ案内通路９とが形成される。一条の主ローラ案内通路８及び二条の副ローラ案内通路９はいずれも垂直方向に伸びる。主ローラ案内通路８には、二つの案内レール係合部１５それぞれの主ローラ１６が挿入される。二条の副ローラ案内通路９のうちの一方には、二つの案内レール係合部１５いずれか一方の副ローラ１７が挿入され、二条の副ローラ案内通路９のうちの他方には、二つの案内レール係合部１５の他方の副ローラ１７が挿入される。開口部区間１ａにおいて、二つの案内レール係合部１５は垂直方向に並べて配置されるので、スラット２も垂直面内に配置される。そして、開口部区間１ａにおいて、複数のブラケット３は垂直方向に並べて配置されるので、複数枚のスラット２が垂直面内に並べて配列される。
【００４４】
スラット２が上昇すると、ブラケット３が開口部区間１ａから繋ぎ区間１ｂに移行する。繋ぎ区間１ｂはねじれているので、図８に示されるように、案内レール１のねじれに対応するように、案内レール係合部１５はヒンジ軸１２を中心にヒンジ片１９が開くように回転する。最終的には、ヒンジ片１９は９０度回転する。図９は、ねじれた繋ぎ区間を移動する案内レール係合部１５を示す。ねじれた案内レール１に対応して、案内レール係合部１５がヒンジ軸１２を中心に回転しているのがわかる。
【００４５】
図１０は、さらにスラット２が繋ぎ区間１ｂを上昇した状態を示す。繋ぎ区間１ｂの案内レール１はねじれた後、二股に分岐する。分岐した二条の副ローラ案内通路９のうち、上側の副ローラ案内通路９に上側の案内レール係合部１５の副ローラ１７が導かれ、下側の副ローラ案内通路９に下側の案内レール係合部１５の副ローラ１７が導かれる。このように、副ローラ１７は分岐後にどちらの副ローラ案内通路９に導かれるかが決まっている。主ローラ１６は、分岐点において副ローラ１７に引っ張られて二条に分岐した主ローラ案内通路８のいずれか一方に導かれる。
【００４６】
繋ぎ区間１ｂの案内レール１は、分岐後に折れ曲がっているので、これに対応できるように、副ローラ１７は主ローラ支持軸２０を中心にして旋回する。図１１は収納部区間１ｃの垂直断面図を示す。図５の水平断面図に示されるように、開口部区間１ａにおいては、副ローラ１７の自転軸と主ローラ１６の自転軸は水平面内に配置される。一方、図１１に示されるように、収納部区間１ｃにおいては、アーム１８が首を振って副ローラ１７が９０度旋回するので、副ローラ１７の自転軸と主ローラ１６の自転軸が垂直面内に配置される。
【００４７】
図１２は、案内レール１の収納部区間１ｃに収納された複数枚のスラット２を、シャッタ装置の背面側からみた斜視図である。収納部区間１ｃにおいて、上側の案内レール係合部１５が上側の案内レール１に案内され、下側の案内レール係合部１５が下側の案内レール１に案内される。そして、複数枚のスラット２は平行に配列される。また、ヒンジ片は９０度開いていて、スラット２は一対の案内レール１の内側に挟まれる。
【００４８】
この実施形態では、シャッタ装置のスラットは手動により作動されることもあるし、電動により作動されることもある。手動により作動させる場合、複数枚のスラット２の一枚一枚を手で持って上昇又は下降させれば、開口部を開閉することができる。スラット２を電動により作動させる方法としては、案内レールに沿ってラックを設け、ラックに噛合するピニオンをブラケットに取り付け、電動モータによりピニオンを回転させ、ラックアンドピニオン機構によりブラケットを上昇又は下降させる方法が考えられる。この電動モータ・ピニオンは、全てのブラケット３に設けられてもよいし、最上端と最下端のブラケット３のみに設けてもよい。最上端と最下端のブラケット３のみに電動モータ・ピニオンを設ける場合、スラット２を上昇させるときは、最下端のブラケット３に取り付けた駆動機構がスラット２全体を押し上げることになるし、スラット２を下降させるときは、最上端のブラケット３に取り付けた駆動機構がスラット２全体を押し下げることになる。スラット２を上昇させるときでも下降させるときでも、電動モータを同期させる必要がある。この他にも、例えば最下部のスラットにチェーン又はワイヤの一端を連結させて、電動モータによりチェーン又はワイヤを引き上げたり、引き下げたりする機構も採用できる。
【００４９】
図１３ないし図１６は、本発明の第二の実施形態におけるシャッタ装置を示す。図１３及び図１４は、シャッタ装置の斜視図を示し、図１５及び図１６は、シャッタ装置の正面図を示す。図１３及び図１５は、複数枚のスラット３２が案内レール３１の下端側の開口部区間３１ａに移動して開口部が閉じられた状態を示し、図１４及び図１６は、複数枚のスラット３２が案内レール３１の上端側の収納部区間３１ｃに移動して開口部が開けられた状態を示す。この実施形態でも、第一の実施形態のシャッタ装置と同様に、スラット３２が収納部区間３１ｃに移動したとき、複数枚のスラット３２が互いに平行に並んだ状態で収納される。
【００５０】
図１３及び図１４に示されるように、この実施形態のシャッタ装置は、互いに平行に伸びる一対の案内レール３１と、一対の案内レール３１に沿って移動するブラケット３３と、一対の案内レール３１間に掛け渡され、複数のブラケット３３に支持される複数枚のスラット３２と、を備える。
【００５１】
図１５に示されるように、複数枚のスラット３２が案内レール３１の下端側の開口部区間３１ａに移動したとき、案内レール３１はスラット３２の両端部の後方に隠れる。この開口部区間３１ａにおいて、一対の案内レール３１の内法は、スラット３２の長手方向の長さよりも短い。その一方、図１６に示されるように、複数枚のスラット３２が収納部区間３１ｃに移動したとき、複数枚のスラット３２は一対の案内レール３１間に挟まれる。この収納部区間３１ｃにおいて、一対の案内レール３１の内法は、スラット３２の長さ方向の長さよりも長い。スラット３２の長手方向の長さは一定であるから、収納部区間３１ｃにおける一対の案内レール３１の内法は、開口部区間３１ａにおける一対の案内レール３１の内法よりも大きい。
【００５２】
図１７は、案内レール３１の側面図を示す。案内レール３１は、垂直方向に直線状に伸びる開口部区間３１ａと、開口部区間３１ａの上端から垂直方向に伸びると共に、折れ曲がった後、二股に分かれて水平方向に伸びる繋ぎ区間３１ｂと、繋ぎ区間３１ｂの一端に接続される収納部区間３１ｃとに分けられる。収納部区間３１ｃにおいて、案内レール３１は二股に分岐した状態で水平方向に直線状に伸びる。収納部区間３１ｃにおいて、案内レール３１を二股に分岐させたのは、スラット３２を平行に配列した状態で収納するためである。
【００５３】
図１８は、案内レール３１の断面図を示す。案内レール３１の断面形状は中心線を境にして左右対称である。案内レール３１には、その内部に長手方向に伸びる一条の主ローラ案内通路３７と、二条の副ローラ案内通路３８が形成される。ブラケット３３側からみて、主ローラ案内通路３７は、案内レール３１の中央部にかつ奥側に形成され、二条の副ローラ案内通路３８は、案内レール１の左右両側にかつ手前側に形成される。主ローラ案内通路３７には、後述するブラケット３３の主ローラ３９が転がり運動可能に収容され、副ローラ案内通路３８にはブラケット３３の副ローラ４０が転がり運動可能に収容される。案内レール３１の断面図において、主ローラ３９の自転軸と副ローラ４０の自転軸とは直交している。
【００５４】
上述したように、収納部区間３１ｃにおける一対の案内レール３１の内法は、開口部区間３１ａにおける一対の案内レール３１の内法よりも大きい。そして、案内レール３１は、シャッタ装置の正面からみて、開口部区間３１ａにおいて、スラット３２の両端部の後方に配置される（図１５参照）。その一方、案内レール３１は、収納部区間３１ｃにおいて、スラット３２の長手方向の側方に配置される（図１６参照）。これを実現するために、上記第一の実施形態のシャッタ装置では、案内レール１を繋ぎ区間１ｂにおいて９０度ねじった。しかし、この実施形態のシャッタ装置では、案内レール３１を繋ぎ区間３１ｂにおいて、ねじることなく、開口部区間３１ａから収納部区間３１ｃに向かって徐々に一対の案内レール３１の内法を大きくしている。
【００５５】
図１３に示されように、案内レール３１は繋ぎ区間３１ｂにおいて内法を広げた後、二股に分岐する。図１７に示されるように、もともと一条の主ローラ案内通路３７は、案内レール３１の分岐に伴って二条の主ローラ案内通路３７に分岐する。もともと二条の副ローラ案内通路３８は、並列に並んだ状態から繋ぎ区間３１ｂにおいて二股に分岐し、収納部区間３１ｃにおいて二股に分岐した状態で直線状に伸びる。繋ぎ区間３１ｂでの案内レール３１は、ねじられ、かつ分岐するので、全体が複数の分割ピースに分割される。
【００５６】
図１９は、ブラケット３３の分解斜視図を示す。ブラケット３３は、スラット３２が取り付けられるブラケット本体４１と、案内レール３１の長手方向に位置を異ならせてブラケット本体４１に結合される二つの案内レール係合部４２と、を有する。二つの案内レール係合部４２の一方が二条の副ローラ案内通路３８の一方に案内され、二つの案内レール係合部４２の他方が二条の副ローラ案内通路３８の他方に案内される。
【００５７】
案内レール係合部４２は、ブラケット本体４１に回転可能に組み付けられる円盤状の回転体４３と、回転体４３に一軸方向にスライド可能に組みつけられるスライド体４４と、スライド体４４の端部の主ローラ支持軸４５に結合される主ローラ３９と、主ローラ支持軸４５にＬ字形状のアーム４６を介して連結される副ローラ４０と、を有する。主ローラ３９は主ローラ支持軸４５を中心に回転する。副ローラ４０は、主ローラ支持軸４５の回りを旋回（公転）する。アーム４６によって副ローラ４０が旋回したとしても、副ローラ４０の自転軸は主ローラ３９の自転軸を向く。
【００５８】
図２０は、スライド体４４の詳細図を示す。スライド体４４は半円柱形状であり、軸線方向に伸びる断面Ｔ字型のありみぞ４８を有する。図１９に示されるように、回転体４３にはありみぞ４８に嵌まる断面Ｔ字型の突起４９が形成される。スライド体４４は、回転体４３の突起４９に案内されつつ一軸方向にスライドする。
【００５９】
図１９に示されるように、ブラケット本体４１には、雌ねじが加工される。スラット３２の、ブラケット本体４１の雌ねじに対応する位置には貫通孔５０が加工される。スラット３２の貫通孔５０に止めねじ５１を通し、止めねじ５１をブラケット本体４１の雌ねじに嵌め込むことで、スラット３２をブラケット本体４１の取付け面に取り付けることができる。ブラケット本体４１からスラット３２を取り外すときは、止めねじ５１をブラケット本体４１から取り外せばよい。ブラケット３３へのスラット３２の着脱は、ブラケット３３を案内レール３１に装着したまま行うことができる。図１８に示されるように、ブラケット本体４１の取付け面５２は、案内レール３１よりもシャッタ装置の正面側にはみ出る。
【００６０】
図２１は、繋ぎ区間３１ｂの案内レール３１を移動するブラケット３３の形状の変化を示す。案内レール係合部４２の主ローラ３９は、案内レール３１の主ローラ案内通路３７に挿入され、副ローラ４０は二条の副ローラ案内通路３８の一方に挿入される。図２１（Ｃ）に示されるように、スラット３２が案内レール３１の開口部区間３１ａを移動しているときは、スライド体４４はスラット３２の内方（図中右方向）に移動している。スラット３２が上昇し、図２１（Ｂ）に示される繋ぎ区間３１ｂに入ると、上述したように一対の案内レール３１の内法が除々に長くなるので、図２１（Ａ）に示されるように、案内レール３１がスラット３２から離間しようとする。案内レール３１の副ローラ案内通路３８には、副ローラ４０が挿入されているので、案内レール３１に引っ張られて、スライド体４４が案内レール３１側（図中左方向）にスライドする。
【００６１】
図２２及び図２３は、案内レール３１に沿うブラケット３３の移動を示す。図２２（Ａ）に示されるように、スラット３２が案内レール３１の開口部区間３１ａに位置するときは、上下二つのスライド体４４は平行を保ち、最も内側（図中左方向）に位置する。図２２（Ｂ）に示されるように、スラット３２が繋ぎ区間３１ｂに移動すると、上側のスライド体４４が、広がった案内レール３１によって案内レール３１側に引っ張られる。案内レール３１は傾いているので、案内レール３１に対して直交しようとするスライド体４４も傾く。スライド体４４の回転は回転体４３によって案内される。図２３（Ａ）に示されるように、さらにスラット３２が上昇すると、上側のスライド体４４は最も案内レール３１側に移動し、分岐位置の手前まで移動する。ここでは、案内レール３１は傾いていないので、スライド体４４も水平を保つ。下側のスライド体４４は徐々に案内レール３１側に移動すると共に、傾いた案内レール１にしたがって傾く。図２３（Ｂ）に示されるように、スラット３２がさらに上昇すると、上側の案内レール係合部４２の主ローラ３９は、副ローラ４０が上側の副ローラ案内通路３８に導かれるのにしたがって、上側の主ローラ案内通路３７に導かれる。一方、下側の案内レール係合部４２の主ローラ３９は、副ローラ４０が下側の副ローラ案内通路３８に導かれるのにしたがって、下側の主ローラ案内通路３７に導かれる。図２３（Ｃ）に示されるように、スラット３２が収納部区間３１ｃに移動すると、上側の案内レール３１に上側の案内レール係合部４２が案内され、下側の案内レール３１に下側の案内レール係合部４２が案内される。これにより、収納部区間３１ｃにおいて、複数枚のスラット３２が平行を保つ。
【００６２】
図２４は、案内レール３１の収納部区間３１ｃの断面図を示す。スラット３２が収納部区間３１ｃに移動したとき、スライド体４４は最も案内レール３１側にスライドし、上下二つのスライド体４４は平行を保つ。収納部区間３１ｃにおいては、アーム４６が首を振って副ローラ４０が９０度旋回するので、副ローラ４０の自転軸と主ローラ３９の自転軸が垂直面内に配置される。この実施形態でも、シャッタ装置のスラット３２を手動により作動させても、電動により作動させてもよい。
【００６３】
なお、本発明は上記実施形態に限られることなく、本発明の要旨を変更しない範囲で種々変更が可能である。例えば、上記実施形態では、案内レールを垂直方向に伸びるように配置し、複数枚のスラットを縦方向（垂直方向）に移動させて開口部を開閉している。しかし、案内レールを水平方向に伸びるように配置し、複数枚のスラットを横方向（水平方向）に移動させて開口部を開閉してもよい。この場合、案内レールを一対設けなくても、上側のみにすることも考えられる。また、案内レールはシャッタ装置の正面側からみて奥側に折れ曲がっていても、手前側に折れ曲がっていてもよい。
【図面の簡単な説明】
【００６４】
【図１】本発明の第一の実施形態におけるシャッタ装置の正面側の斜視図
【図２】上記シャッタ装置の正面側の斜視図（開状態）
【図３】上記シャッタ装置の正面図（閉状態）
【図４】上記シャッタ装置の正面図（開状態）
【図５】上記シャッタ装置の水平断面図
【図６】案内レールの側面図
【図７】案内レール及びブラケットの分解斜視図
【図８】繋ぎ区間の案内レールの断面形状の変化を示す図（図中（Ａ）は図７のＡ−Ａ線断面図を示し、（Ｂ）は図７のＢ−Ｂ線断面図を示し、（Ｃ）は図７のＣ−Ｃ線断面図を示す）
【図９】ねじれた繋ぎ区間を移動する案内レール係合部を示す斜視図
【図１０】ねじれた繋ぎ区間を移動する案内レール係合部を示す斜視図
【図１１】収納部区間の垂直断面図
【図１２】収納部区間に収納された複数枚のスラットを示す斜視図
【図１３】本発明の第二の実施形態におけるシャッタ装置の正面側の斜視図
【図１４】上記シャッタ装置の正面側の斜視図（開状態）
【図１５】上記シャッタ装置の正面図（閉状態）
【図１６】上記シャッタ装置の正面図（開状態）
【図１７】案内レールの側面図
【図１８】案内レールの断面図
【図１９】ブラケットの分解斜視図
【図２０】スライド体の詳細図（図中（Ａ）は正面図を示し、（Ｂ）は平面図を示し、（Ｃ）は背面図を示す）
【図２１】繋ぎ区間を移動するブラケットの形状の変化を示す断面図
【図２２】案内レールに沿うブラケットの移動を示す斜視図
【図２３】案内レールに沿うブラケットの移動を示す斜視図
【図２４】案内レールの収納部区間の垂直断面図
【符号の説明】
【００６５】
１…案内レール
１ａ…開口部区間（案内レールの一端側）
１ｂ…繋ぎ区間
１ｃ…収納部区間（案内レールの他端側）
２…スラット
３…ブラケット
８…主ローラ案内通路
９…副ローラ案内通路（案内通路）
１２…ヒンジ軸（ヒンジ）
１４…ブラケット本体
１５…案内レール係合部
１６…主ローラ（ローラ）
１７…副ローラ（ローラ）
１９…ヒンジ片（ヒンジ）
３１…案内レール
３１ａ…開口部区間（案内レールの一端側）
３１ｂ…繋ぎ区間
３１ｃ…収納部区間（案内レールの他端側）
３２…スラット
３３…ブラケット
３７…主ローラ案内通路
３８…副ローラ案内通路（案内通路）
３９…主ローラ（ローラ）
４０…副ローラ（ローラ）
４１…ブラケット本体
４２…案内レール係合部
４４…スライド体
【図１】
2008069518.tif 000003
【図２】
2008069518.tif 000004
【図３】
2008069518.tif 000005
【図４】
2008069518.tif 000006
【図５】
2008069518.tif 000007
【図６】
2008069518.tif 000008
【図７】
2008069518.tif 000009
【図８】
2008069518.tif 000010
【図９】
2008069518.tif 000011
【図１０】
2008069518.tif 000012
【図１１】
2008069518.tif 000013
【図１２】
2008069518.tif 000014
【図１３】
2008069518.tif 000015
【図１４】
2008069518.tif 000016
【図１５】
2008069518.tif 000017
【図１６】
2008069518.tif 000018
【図１７】
2008069518.tif 000019
【図１８】
2008069518.tif 000020
【図１９】
2008069518.tif 000021
【図２０】
2008069518.tif 000022
【図２１】
2008069518.tif 000023
【図２２】
2008069518.tif 000024
【図２３】
2008069518.tif 000025
【図２４】
2008069518.tif 000026